(57)【要約】【課題】放送コンテンツを再取得する際の通信料金や送受信時間を削減する。【解決手段】放送コンテンツ３０２をパケットに分解したトランスポートパケットを放送波３０３で放送する放送局３０１と、放送波３０３を受信する携帯テレビ受信端末３０５と、放送コンテンツ３０２に関する情報が予め格納された放送コンテンツデータベース３１０を備える通信サーバ３０９とを有する。携帯テレビ受信端末３０５は、受信したトランスポートパケット３０４に受信エラーを生じた場合は、該受信エラーを生じたままで再生した場合の再生品質を予測し、該予測結果が予め設定された再生品質条件を満たさない場合に、通信サーバ３０９に対してデータの再取得を要求する。通信サーバ３０９は、その要求に応じて、上記再生品質条件を満たすことのできる必要最小限のデータを放送コンテンツデータベース３１０から読み出して携帯テレビ受信端末３０５に送信する。【選択図】  図１
2004200863.tif 000002
【特許請求の範囲】
【請求項１】
放送コンテンツを情報単位であるパケットに分解したトランスポートパケットをデジタル放送波で放送する放送局と、
前記放送局からのデジタル放送波を受信する携帯テレビ受信端末と、
前記放送コンテンツに関する情報が予め格納された放送コンテンツデータベースを備える、前記携帯テレビ受信端末と相互通信が可能な通信サーバとを有し、
前記携帯テレビ受信端末は、前記デジタル放送波により受信したトランスポートパケットに受信エラーを生じた場合は、該受信エラーを生じたままで再生した場合の再生品質を予測し、該予測結果が予め設定された再生品質条件を満たさない場合に、前記通信サーバに対して前記受信エラーを生じたデータの再取得を要求し、
前記通信サーバは、前記データの再取得の要求に応じて、前記再生品質条件を満たすことのできる、前記受信エラーを生じたデータを復元するための必要最小限のデータを前記放送コンテンツデータベースから読み出して前記携帯テレビ受信端末に送信することを特徴とするデジタル放送受信システム。
【請求項２】
前記携帯テレビ受信端末は、受信したトランスポートパケット内の少なくとも一部のデータに欠落がある場合で、前記予測結果が前記再生品質条件を満たしていない場合は、前記欠落があるトランスポートパケットを特定するとともに、該特定情報を前記通信サーバに送信し、
前記通信サーバは、前記特定情報に基づいて前記放送コンテンツデータベースから該当データを読み出して前記携帯テレビ受信端末に送信することを特徴とする請求項１に記載のデジタル放送受信システム。
【請求項３】
前記携帯テレビ受信端末は、前記デジタル放送波の受信時にパケットそのものを受信できなかったトランスポートパケットがある場合で、前記予測結果が前記再生品質条件を満たしていない場合は、前記パケットそのものを受信できなかったトランスポートパケットを特定するとともに、該特定情報および前記再生品質条件を前記通信サーバに送信し、
前記通信サーバは、前記特定情報に基づいて前記放送コンテンツデータベースから該当情報を読み出し、該読み出した該当情報から、前記再生品質条件を満たすことのできる必要最小限のデータを判定することを特徴とする請求項１に記載のデジタル放送受信システム。
【請求項４】
前記携帯テレビ受信端末は、前記予測結果が前記再生品質条件を満たしている場合は、前記受信エラーを生じた状態のまま前記トランスポートパケットを再生することを特徴とする請求項１から３のいずれか１項に記載のデジタル放送受信システム。
【請求項５】
前記トランスポートパケットは、当該トランスポートパケットに格納されている放送コンテンツの重要度を示す情報を少なくとも含み、
前記携帯テレビ受信端末は、前記重要度に基づいて前記再生品質の予測を行うことを特徴とする請求項１または２に記載のデジタル放送受信システム。
【請求項６】
前記トランスポートパケットは、当該トランスポートパケットに格納されている放送コンテンツの重要度を示す情報を少なくとも含み、
前記放送コンテンツデータベースは、前記重要度を含む情報が予め格納されており、
前記通信サーバは、前記特定情報に基づいて前記放送コンテンツデータベースから前記重要度を含む該当情報を読み出し、該読み出した重要度に基づいて前記再生品質条件を満たすことのできる必要最小限のデータを判定することを特徴とする請求項３に記載のデジタル放送受信システム。
【請求項７】
前記携帯テレビ受信端末と前記通信サーバとを接続するための回線が有料の通信回線であり、
前記携帯テレビ受信端末は、前記必要最小限のデータを取得する際の前記有料の通信回線において発生する通信料金を積算するとともに、該積算結果が予め設定された通信料金の制限範囲内に納まるか否かを予測し、該予測結果が否となった場合に所定の動作を行うことを特徴とする請求項１に記載のデジタル放送受信システム。
【請求項８】
前記所定の動作は、所定のメッセージを出力することであることを特徴とする請求項７に記載のデジタル放送受信システム。
【請求項９】
前記所定のメッセージは、前記積算結果が前記通信料金の制限範囲を超える旨を示す警告メッセージであることを特徴とする請求項８に記載のデジタル放送受信システム。
【請求項１０】
前記所定のメッセージは、視聴者に対して前記再生品質条件または前記通信料金の制限範囲の変更を促すためのメッセージであることを特徴とする請求項８に記載のデジタル放送受信システム。
【請求項１１】
前記所定の動作は、前記通信料金の制限範囲での通信が可能なように前記再生品質条件の内容を強制的に変更することであることを特徴とする請求項７に記載のデジタル放送受信システム。
【請求項１２】
前記携帯テレビ受信端末は、前記放送コンテンツに関するトランスポートパケットを全て蓄積した状態から再生を行うことを特徴とする請求項１に記載のデジタル放送受信システム。
【請求項１３】
前記携帯テレビ受信端末は、前記放送コンテンツに関するトランスポートパケットの所定の再生遅延量分に相当する量を蓄積した状態から再生を行うことを特徴とする請求項１に記載のデジタル放送受信システム。
【請求項１４】
前記携帯テレビ受信端末は、前記デジタル放送波により受信したトランスポートパケットをリアルタイムに再生し、該再生中に、前記受信エラーが発生した場合は、前記再生を一旦停止すると同時に、該停止以降に受信されるトランスポートパケットの録画を開始して前記通信サーバから前記受信エラーを復元するための必要最小限のデータを取得することを特徴とする請求項１に記載のデジタル放送受信システム。
【請求項１５】
前記携帯テレビ受信端末は、前記受信エラーの発生から該受信エラーを復元するための必要最小限のデータを前記通信サーバから取得するまでの間に生じる再生ディレイが前記再生品質条件を満たすことのできる再生ディレイ条件を確保できるか否かを判断し、該判断が否となった場合に、所定のメッセージを出力することを特徴とする請求項１２から１４のいずれか１項に記載のデジタル放送受信システム。
【請求項１６】
前記所定のメッセージは、前記再生品質条件を満たすことができない旨を示す警告メッセージであることを特徴とする請求項１５に記載のデジタル放送受信システム。
【請求項１７】
前記所定のメッセージは、視聴者に対して前記放送コンテンツの再生の継続可否の判断または前記再生品質条件の変更を促すためのメッセージであることを特徴とする請求項１５に記載のデジタル放送受信システム。
【請求項１８】
放送コンテンツを情報単位であるパケットに分解したトランスポートパケットを受信する受信手段と、
前記放送コンテンツに関する情報が予め格納された放送コンテンツデータベースを備える通信サーバとの間で相互通信が行われる通信手段と、
前記受信手段にて受信されるトランスポートパケットについて受信エラーを生じたか否かを分析するエラーパケット分析手段と、
前記エラーパケット分析手段から前記受信エラーを生じた旨の報告がなされると、前記受信エラーを生じたままで再生した場合の再生品質を予測し、該予測結果が予め設定された再生品質条件を満たしていない場合にのみ、前記通信手段を介して、前記再生品質条件を満たすことのできる、前記受信エラーを生じたトランスポートパケットを復元するための必要最小限のデータを前記通信サーバから取得する制御手段とを有することを特徴とする携帯テレビ受信端末。
【請求項１９】
前記制御手段は、前記エラーパケット分析手段から前記トランスポートパケット内の少なくとも一部のデータに欠落がある旨の報告がなされた場合で、前記予測結果が前記再生品質条件を満たしていない場合は、前記欠落があるトランスポートパケットを特定するとともに、前記通信手段を介して、前記特定情報を前記通信サーバに送信して前記欠落があるトランスポートパケットを復元するための前記必要最小限のデータを前記通信サーバから取得することを特徴とする請求項１８に記載の携帯テレビ受信端末。
【請求項２０】
前記制御手段は、前記エラーパケット分析手段から前記トランスポートパケットそのものを受信できない旨の報告がなされた場合で、前記予測結果が前記再生品質条件を満たしていない場合は、前記パケットそのものを受信できなかったトランスポートパケットを特定するとともに、前記通信手段を介して、前記特定情報および再生品質条件を前記通信サーバに送信して前記パケットそのものを受信できなかったトランスポートパケットを復元するための前記必要最小限のデータを前記通信サーバから取得することを特徴とする請求項１８に記載の携帯テレビ受信端末。
【請求項２１】
前記受信手段にて受信されるトランスポートパケットを再生する再生手段をさらに有し、
前記制御手段は、前記エラーパケット分析手段から前記受信エラーを生じた旨の報告がなされた場合で、前記予測結果が前記再生品質条件を満たしている場合は、前記受信エラーを生じた状態のまま前記トランスポートパケットを前記再生手段にて再生させることを特徴とする請求項１８に記載の携帯テレビ受信端末。
【請求項２２】
前記トランスポートパケットは、当該トランスポートパケットに格納されている放送コンテンツの重要度を示す情報を少なくとも含み、
前記制御手段は、前記重要度に基づいて前記再生品質の予測を行うことを特徴とする請求項１８に記載の携帯テレビ受信端末。
【請求項２３】
前記通信手段と前記通信サーバとを接続するための回線が有料の通信回線であり、
前記制御手段は、前記必要最小限のデータを取得する際の前記有料の通信回線において発生する通信料金を積算するとともに、該積算結果が予め設定された通信料金の制限範囲内に納まるか否かを予測し、該予測結果が否となった場合に所定の動作を行うことを特徴とする請求項１８に記載の携帯テレビ受信端末。
【請求項２４】
表示手段をさらに有し、
前記所定の動作は、所定のメッセージを前記表示手段に出力することであることを特徴とする請求項２３に記載の携帯テレビ受信端末。
【請求項２５】
前記所定のメッセージは、前記積算結果が前記通信料金の制限範囲を超える旨を示す警告メッセージであることを特徴とする請求項２４に記載の携帯テレビ受信端末。
【請求項２６】
前記所定のメッセージは、視聴者に対して前記再生品質条件または前記通信料金の制限範囲の変更を促すためのメッセージであることを特徴とする請求項２４に記載の携帯テレビ受信端末。
【請求項２７】
前記所定の動作は、前記通信料金の制限範囲での通信が可能なように前記再生品質条件の内容を強制的に変更することであることを特徴とする請求項２３に記載の携帯テレビ受信端末。
【請求項２８】
記憶手段をさらに有し、
前記制御手段は、前記放送コンテンツに関するトランスポートパケットを全て前記記憶手段に蓄積し、該蓄積したデータを順次読み出して前記再生手段にて再生させることを特徴とする請求項１８に記載の携帯テレビ受信端末。
【請求項２９】
記憶手段をさらに有し、
前記制御手段は、前記放送コンテンツに関するトランスポートパケットを所定の再生遅延量分だけ前記記憶手段に蓄積し、該蓄積したデータを順次読み出して前記再生手段にて再生させることを特徴とする請求項１８に記載の携帯テレビ受信端末。
【請求項３０】
前記制御手段は、受信したトランスポートパケットを前記再生手段にてリアルタイムに再生させ、該再生中に、前記受信エラーが発生した場合は、前記再生を一旦停止すると同時に、該停止以降に受信されるトランスポートパケットの録画を開始して前記通信サーバから前記受信エラーを復元するための必要最小限のデータを取得することを特徴とする請求項１８に記載の携帯テレビ受信端末。
【請求項３１】
表示手段をさらに有し、
前記制御手段は、前記受信エラーの発生から該受信エラーを復元するための必要最小限のデータを前記通信サーバから取得するまでの間に生じる再生ディレイが前記再生品質条件を満たすことのできる再生ディレイ条件を確保できるか否かを判断し、該判断が否となった場合に、所定のメッセージを前記表示手段に出力することを特徴とする請求項２８から３０のいずれか１項に記載の携帯テレビ受信端末。
【請求項３２】
前記所定のメッセージは、前記再生品質条件を満たすことができない旨を示す警告メッセージであることを特徴とする請求項３１に記載の携帯テレビ受信端末。
【請求項３３】
前記所定のメッセージは、視聴者に対して前記放送コンテンツの再生の継続可否の判断または前記再生品質条件の変更を促すためのメッセージであることを特徴とする請求項３１に記載の携帯テレビ受信端末。
【請求項３４】
放送コンテンツを情報単位であるパケットに分解したトランスポートパケットを受信する携帯テレビ受信端末との間で相互に通信が行われる通信手段と、
前記放送コンテンツに関する情報が予め格納された放送コンテンツデータベースと、
前記通信手段が前記携帯テレビ受信端末から受信エラーを生じたトランスポートパケットのデータの再取得要求を受信すると、前記携帯テレビ受信端末に予め設定されている再生品質条件を満たすことのできる、前記受信エラーを生じたデータを復元するための必要最小限のデータを、前記放送コンテンツデータベースから読み出して前記通信手段から前記携帯テレビ受信端末に送信する処理手段とを有することを特徴とする通信サーバ。
【請求項３５】
前記トランスポートパケットは、当該トランスポートパケットに格納されている放送コンテンツの重要度を示す情報を少なくとも含み、
前記放送コンテンツデータベースは、前記重要度に関する情報が予め格納されており、
前記処理手段は、
前記携帯テレビ受信端末から前記通信手段を介して受信される前記再生品質条件を格納する再生条件格納手段と、
前記携帯テレビ受信端末から前記通信手段を介して受信される、前記受信エラーを生じたトランスポートパケットに関する情報に基づいて、前記放送コンテンツデータベースから前記重要度を含む該当情報を読み出し、該読み出した重要度に基づいて前記再生条件格納手段に格納されている再生品質条件を満たすことのできる必要最小限のデータを判定するコンテンツ判定手段とを有することを特徴とする請求項３４に記載の通信サーバ。
【請求項３６】
放送コンテンツを情報単位であるパケットに分解したトランスポートパケットをデジタル放送波で放送する放送局と、前記放送局からのデジタル放送波を受信する携帯テレビ受信端末と、前記放送コンテンツに関する情報が予め格納された放送コンテンツデータベースを備える、前記携帯テレビ受信端末と相互通信が可能な通信サーバとを有するシステムにおいて行われるデジタル放送受信方法であって、
前記携帯テレビ受信端末が、前記デジタル放送波により受信したトランスポートパケットに受信エラーを生じた場合に、該受信エラーを生じたままで再生した場合の再生品質を予測し、該予測結果が予め設定された再生品質条件を満たさない場合に、前記通信サーバに対して前記受信エラーを生じたデータの再取得を要求するステップと、
前記通信サーバが、前記データの再取得の要求に応じて、前記再生品質条件を満たすことのできる、前記受信エラーを生じたデータを復元するための必要最小限のデータを前記放送コンテンツデータベースから読み出して前記携帯テレビ受信端末に送信するステップとを含むことを特徴とするデジタル放送受信方法。
【請求項３７】
前記携帯テレビ受信端末が、前記デジタル放送波により受信したトランスポートパケット内の少なくとも一部のデータに欠落があり、前記予測結果が前記再生品質条件を満たしていない場合に、前記欠落があるトランスポートパケットを特定するとともに、該特定情報を前記通信サーバに送信するステップと、
前記通信サーバが、前記特定情報に基づいて前記放送コンテンツデータベースから該当情報を読み出して前記携帯テレビ受信端末に送信するステップを含むことを特徴とする請求項３６に記載のデジタル放送受信方法。
【請求項３８】
前記携帯テレビ受信端末が、前記トランスポートパケットそのものを受信できない場合で、前記予測結果が前記再生品質条件を満たしていない場合に、前記パケットそのものを受信できなかったトランスポートパケットを特定するとともに、該特定情報および前記再生品質条件を前記通信サーバに送信するステップと、
前記通信サーバが、前記特定情報に基づいて前記放送コンテンツデータベースから該当情報を読み出し、該読み出した該当情報から、前記再生品質条件を満たすことのできる必要最小限のデータを判定するステップとを含むことを特徴とする請求項３６に記載のデジタル放送受信方法。
【請求項３９】
前記携帯テレビ受信端末が、前記予測結果が前記再生品質条件を満たしている場合は、前記受信エラーを生じた状態のまま前記トランスポートパケットを再生するステップを含むことを特徴とする請求項３６から３８のいずれか１項に記載のデジタル放送受信方法。
【請求項４０】
前記トランスポートパケットは、当該トランスポートパケットに格納されている放送コンテンツの重要度を示す情報を少なくとも含み、
前記携帯テレビ受信端末による前記再生品質の予測が前記重要度に基づいて行われることを特徴とする請求項３６または３７に記載のデジタル放送受信方法。
【請求項４１】
前記トランスポートパケットは、当該トランスポートパケットに格納されている放送コンテンツの重要度を示す情報を少なくとも含み、
前記放送コンテンツデータベースは、前記トランスポートパケットおよび重要度に関する情報が予め格納されており、
前記通信サーバが、前記特定情報に基づいて前記放送コンテンツデータベースから前記重要度を含む該当情報を読み出し、該読み出した重要度に基づいて前記再生品質条件を満たすことのできる必要最小限のデータを判定するステップを含むことを特徴とする請求項３８に記載のデジタル放送受信方法。
【請求項４２】
前記携帯テレビ受信端末と前記通信サーバとを接続するための回線が有料の通信回線であり、
前記携帯テレビ受信端末が、前記必要最小限のデータを取得する際の前記有料の通信回線において発生する通信料金を積算するとともに、該積算結果が予め設定された通信料金の制限範囲内に納まるか否かを予測し、該予測結果が否となった場合に所定の動作を行うステップを含むことを特徴とする請求項３６に記載のデジタル放送受信方法。
【請求項４３】
前記所定の動作は、所定のメッセージを出力することであることを特徴とする請求項４２に記載のデジタル放送受信方法。
【請求項４４】
前記所定のメッセージは、前記積算結果が前記通信料金の制限範囲を超える旨を示す警告メッセージであることを特徴とする請求項４３に記載のデジタル放送受信方法。
【請求項４５】
前記所定のメッセージは、視聴者に対して前記再生品質条件または前記通信料金の制限範囲の変更を促すためのメッセージであることを特徴とする請求項４３に記載のデジタル放送受信方法。
【請求項４６】
前記所定の動作は、前記通信料金の制限範囲での通信が可能なように前記再生品質条件の内容を強制的に変更することであることを特徴とする請求項４２に記載のデジタル放送受信方法。
【請求項４７】
前記携帯テレビ受信端末が、前記放送コンテンツに関するトランスポートパケットを全て蓄積した状態から再生を行うステップを含むことを特徴とする請求項３６に記載のデジタル放送受信方法。
【請求項４８】
前記携帯テレビ受信端末が、前記放送コンテンツに関するトランスポートパケットの所定の再生遅延量分に相当する量を蓄積した状態から再生を行うステップを含むことを特徴とする請求項４６に記載のデジタル放送受信方法。
【請求項４９】
前記携帯テレビ受信端末が、前記デジタル放送波により受信したトランスポートパケットをリアルタイムに再生し、該再生中に、前記受信エラーが発生した場合は、前記再生を一旦停止すると同時に、該停止以降に受信されるトランスポートパケットの録画を開始して前記通信サーバから前記受信エラーを復元するための必要最小限のデータを取得するステップを含むことを特徴とする請求項４６に記載のデジタル放送受信方法。
【請求項５０】
前記携帯テレビ受信端末が、前記受信エラーの発生から該受信エラーを復元するための必要最小限のデータを前記通信サーバから取得するまでの間に生じる再生ディレイが前記再生品質条件を満たすことのできる再生ディレイ条件を確保できるか否かを判断し、該判断が否となった場合に、所定のメッセージを出力するステップを含むことを特徴とする請求項４７から４９のいずれか１項に記載のデジタル放送受信方法。
【請求項５１】
前記所定のメッセージは、前記再生品質条件を満たすことができない旨を示す警告メッセージであることを特徴とする請求項５０に記載のデジタル放送受信方法。
【請求項５２】
前記所定のメッセージは、視聴者に対して前記放送コンテンツの再生の継続可否の判断または前記再生品質条件の変更を促すためのメッセージであることを特徴とする請求項５０に記載のデジタル放送受信方法。
【請求項５３】
放送コンテンツを情報単位であるパケットに分解したトランスポートパケットをデジタル放送波で放送する放送局と、前記放送局からのデジタル放送波を受信する携帯テレビ受信端末と、前記放送コンテンツに関する情報が予め格納された放送コンテンツデータベースを備える、前記携帯テレビ受信端末と相互通信が可能な通信サーバとを有するシステムにおいて用いられるプログラムであって、
前記デジタル放送波により受信したトランスポートパケットに受信エラーを生じた場合に、該受信エラーを生じたままで再生した場合の再生品質を予測し、該予測結果が予め設定された再生品質条件を満たさない場合に、前記通信サーバに対して前記受信エラーを生じたデータの再取得を要求する処理を、前記携帯テレビ受信端末のコンピュータに実行させ、
前記データの再取得の要求に応じて、前記再生品質条件を満たすことのできる、前記受信エラーを生じたデータを復元するための必要最小限のデータを前記放送コンテンツデータベースから読み出して前記携帯テレビ受信端末に送信する処理を、前記通信サーバのコンピュータに実行させることを特徴とするプログラム。
【請求項５４】
前記デジタル放送波により受信したトランスポートパケット内の少なくとも一部のデータに欠落がある場合で、前記予測結果が前記再生品質条件を満たしていない場合に、前記欠落があるトランスポートパケットを特定するとともに、該特定情報を前記通信サーバに送信する処理を、前記携帯テレビ受信端末のコンピュータに実行させ、
前記特定情報に基づいて前記放送コンテンツデータベースから該当情報を読み出して前記携帯テレビ受信端末に送信する処理を、前記通信サーバのコンピュータに実行させることを特徴とする請求項５３に記載のプログラム。
【請求項５５】
前記デジタル放送波の受信時にパケットそのものを受信できなかったトランスポートパケットがある場合で、前記予測結果が前記再生品質条件を満たしていない場合に、前記パケットそのものを受信できなかったトランスポートパケットを特定するとともに、該特定情報および前記再生品質条件を前記通信サーバに送信する処理を、前記携帯テレビ受信端末のコンピュータに実行させ、
前記特定情報に基づいて前記放送コンテンツデータベースから該当情報を読み出し、該読み出した該当情報から、前記再生品質条件を満たすことのできる必要最小限のデータを判定する処理を、前記通信サーバのコンピュータに実行させることを特徴とする請求項５３に記載のプログラム。
【請求項５６】
前記予測結果が前記再生品質条件を満たしている場合は、前記受信エラーを生じた状態のまま前記トランスポートパケットを再生する処理を、前記携帯テレビ受信端末のコンピュータに実行させることを特徴とする請求項５３に記載のプログラム。
【発明の詳細な説明】
【０００１】
【発明の属する技術分野】
本発明は、デジタル放送を受信するシステムおよび方法に関する。
【０００２】
【従来の技術】
２００３年末から、地上デジタル放送が開始される予定であり、この地上デジタル放送を利用した携帯端末向けの放送サービスが実施されることになっている。また、携帯向け衛星放送サービスの準備もすすめられており、携帯端末でデジタル放送を直接受信して提示するサービスが始まろうとしている。しかし、これらのサービスの実施に際しては、以下に述べるようないくつかの問題がある。
【０００３】
携帯テレビ受信端末は、携帯電話などに搭載されているアンテナ環境と同等な実装環境となることから、固定テレビ受信機のアンテナ環境（地上高１０ｍの屋根上に高利得の八木アンテナで受信する環境が標準的）に比較して、きわめて低利得な環境しか実現することができない。このように搭載可能なアンテナの性能に限界があるため、受信エラーを生じることなくトランスポートパケットを受信するための十分な受信電力を確保できない場合がある。
【０００４】
また、視聴者の受信環境（受信場所、移動状況、遮蔽物の状況）などが頻繁に変化するため、受信環境の悪化によってトランスポートパケットに受信エラーを生じるケースが多発する。
【０００５】
そこで、上記の問題を解決するシステムや方法がいくつか提案されている。例えば、特許文献１には、受信した配信情報に欠落データが発生した場合に、その欠落データをインターネット経由で提供する情報配信システムが開示されている。その主なシステム構成は、放送局と、この放送局からのデジタル放送波を受信するデータ通信端末とからなり、放送局には、放送内容に関する情報（配信情報）が格納された配信情報データベースと、インターネットを介してデータ通信端末との間で相互通信が行われる配信情報管理サーバとが設けられている。
【０００６】
上記の情報配信システムでは、データ通信端末は、放送局からデジタル放送波で受信した配信情報に欠落データがある場合は、インターネット経由で配信情報管理サーバに対してその欠落データの送信を要求する。配信情報管理サーバは、データ通信端末から欠落データの送信要求を受けると、配信情報データベースからその欠落データに対応するデータを読み出し、該読み出したデータをパケット化してインターネット経由でデータ通信端末に送信する。データ通信端末は、デジタル放送波で受信した配信情報の欠落部分を配信情報管理サーバから受信した欠落データで補完する。
【０００７】
【特許文献１】
特開２００２−２３７８１３号公報
【０００８】
【発明が解決しようとする課題】
しかしながら、上述した従来のシステムには、以下のような問題がある。
【０００９】
インターネット経由での欠落データの取得は、通常、有料の回線を用いて行われる。上述した従来のシステムでは、データ通信端末は、全ての欠落データを配信情報管理サーバからインターネット経由で取得するようになっているため、欠落データのデータ量が多い場合には、通信料金が高くなる、という問題がある。加えて、欠落データのデータ量が多い場合は、欠落データの送受信にかかる時間も長くなり、配信情報を再生するまでの待ち時間が長くなる、という問題もある。
【００１０】
本発明の目的は、上述した各問題点を解決し、放送波の直接受信によって受信できなかった放送コンテンツを再取得する際の通信料金や送受信時間を削減することのできる、デジタル放送受信システムおよびデジタル放送受信方法を提供することにある。
【００１１】
本発明のさらなる目的は、そのようなデジタル放送受信方法を実現する携帯テレビ受信端末および通信サーバならびにプログラムを提供することにある。
【００１２】
【課題を解決するための手段】
本発明のデジタル放送受信システムは、
放送コンテンツを情報単位であるパケットに分解したトランスポートパケットをデジタル放送波で放送する放送局と、
前記放送局からのデジタル放送波を受信する携帯テレビ受信端末と、
前記放送コンテンツに関する情報が予め格納された放送コンテンツデータベースを備える、前記携帯テレビ受信端末と相互通信が可能な通信サーバとを有し、
前記携帯テレビ受信端末は、前記デジタル放送波により受信したトランスポートパケットに受信エラーを生じた場合は、該受信エラーを生じたままで再生した場合の再生品質を予測し、該予測結果が予め設定された再生品質条件を満たさない場合に、前記通信サーバに対して前記受信エラーを生じたデータの再取得を要求し、
前記通信サーバは、前記データの再取得の要求に応じて、前記再生品質条件を満たすことのできる、前記受信エラーを生じたデータを復元するための必要最小限のデータを前記放送コンテンツデータベースから読み出して前記携帯テレビ受信端末に送信することを特徴とする。
【００１３】
本発明の携帯テレビ受信端末は、
放送コンテンツを情報単位であるパケットに分解したトランスポートパケットを受信する受信手段と、
前記放送コンテンツに関する情報が予め格納された放送コンテンツデータベースを備える通信サーバとの間で相互通信が行われる通信手段と、
前記受信手段にて受信されるトランスポートパケットについて受信エラーを生じたか否かを分析するエラーパケット分析手段と、
前記エラーパケット分析手段から前記受信エラーを生じた旨の報告がなされると、前記受信エラーを生じたままで再生した場合の再生品質を予測し、該予測結果が予め設定された再生品質条件を満たしていない場合にのみ、前記通信手段を介して、前記再生品質条件を満たすことのできる、前記受信エラーを生じたトランスポートパケットを復元するための必要最小限のデータを前記通信サーバから取得する制御手段とを有することを特徴とする。
【００１４】
本発明の通信サーバは、
放送コンテンツを情報単位であるパケットに分解したトランスポートパケットを受信する携帯テレビ受信端末との間で相互に通信が行われる通信手段と、
前記放送コンテンツに関する情報が予め格納された放送コンテンツデータベースと、
前記通信手段を介して前記携帯テレビ受信端末から受信エラーを生じたトランスポートパケットのデータの再取得要求を受信すると、前記携帯テレビ受信端末に予め設定されている再生品質条件を満たすことのできる、前記受信エラーを生じたデータを復元するための必要最小限のデータを、前記放送コンテンツデータベースから読み出して前記通信手段から前記携帯テレビ受信端末に送信する処理制御手段とを有することを特徴とする。
【００１５】
本発明のデジタル放送受信方法は、放送コンテンツを情報単位であるパケットに分解したトランスポートパケットをデジタル放送波で放送する放送局と、前記放送局からのデジタル放送波を受信する携帯テレビ受信端末と、前記放送コンテンツに関する情報が予め格納された放送コンテンツデータベースを備える、前記携帯テレビ受信端末と相互通信が可能な通信サーバとを有するシステムにおいて行われるデジタル放送受信方法であって、
前記携帯テレビ受信端末が、前記デジタル放送波により受信したトランスポートパケットに受信エラーを生じた場合に、該受信エラーを生じたままで再生した場合の再生品質を予測し、該予測結果が予め設定された再生品質条件を満たさない場合に、前記通信サーバに対して前記受信エラーを生じたデータの再取得を要求するステップと、
前記通信サーバが、前記データの再取得の要求に応じて、前記再生品質条件を満たすことのできる、前記受信エラーを生じたデータを復元するための必要最小限のデータを前記放送コンテンツデータベースから読み出して前記携帯テレビ受信端末に送信するステップとを含むことを特徴とする。
【００１６】
本発明のプログラムは、放送コンテンツを情報単位であるパケットに分解したトランスポートパケットをデジタル放送波で放送する放送局と、前記放送局からのデジタル放送波を受信する携帯テレビ受信端末と、前記放送コンテンツに関する情報が予め格納された放送コンテンツデータベースを備える、前記携帯テレビ受信端末と相互通信が可能な通信サーバとを有するシステムにおいて用いられるプログラムであって、
前記デジタル放送波により受信したトランスポートパケットに受信エラーを生じた場合に、該受信エラーを生じたままで再生した場合の再生品質を予測し、該予測結果が予め設定された再生品質条件を満たさない場合に、前記通信サーバに対して前記受信エラーを生じたデータの再取得を要求する処理を、前記携帯テレビ受信端末のコンピュータに実行させ、
前記データの再取得の要求に応じて、前記再生品質条件を満たすことのできる、前記受信エラーを生じたデータを復元するための必要最小限のデータを前記放送コンテンツデータベースから読み出して前記携帯テレビ受信端末に送信する処理を、前記通信サーバのコンピュータに実行させることを特徴とする。
【００１７】
上述した本発明のデジタル放送受信システム、携帯テレビ受信端末、通信サーバ、デジタル放送受信方法およびプログラムによれば、受信エラーを生じたトランスポートパケットを復元する場合は、予め設定された再生品質条件を満たすことのできる必要最小限のデータを通信サーバから取得するようになっている。この場合の通信料金および通信時間は、受信エラーを生じたトランスポートパケットの全データをサーバから取得する従来のシステムに比べて大幅に削減される。
【００１８】
【発明の実施の形態】
次に、本発明の実施形態について図面を参照して説明する。
【００１９】
（第１の実施形態）
図１は、本発明の第１の実施形態であるデジタル放送受信システムの概略構成を示すブロック図である。このデジタル放送受信システムは、放送コンテンツ３０２を情報単位であるパケットに分解したトランスポートパケット３０４をデジタル放送波３０３で放送する放送局３０１と、放送局３０１からのデジタル放送波３０３を受信する携帯テレビ受信端末３０５と、携帯テレビ受信端末３０５との間で無線通信が行われる、無線キャリア基地局３０６およびホットスポットＡＰ（アクセスポイント）３０７と、放送コンテンツ３０２に関する情報が格納された放送コンテンツデータベース３１０を備える通信サーバ３０９とを有する。
【００２０】
携帯テレビ受信端末３０５は、デジタル放送波３０３によって伝送されるトランスポートパケット３０４を受信する機能およびそれを再生する機能を備えており、放送局３０１が放送する放送コンテンツ３０２を再生して視聴者に提示することができる。また、携帯テレビ受信端末３０５は、無線通信機能も搭載されており、無線通信キャリア基地局３０６およびホットスポットＡＰ３０７との間で無線通信波３１１による無線通信を行うことができる。
【００２１】
無線通信キャリア基地局３０６およびホットスポットＡＰ３０７は、バックボーンの通信ネットワーク３０８に接続されており、この通信ネットワーク３０８上には通信サーバ３０９が存在する。通信サーバ３０９に備えられている放送コンテンツデータベース３１０は、放送局３０１が放送している放送コンテンツ３０２に関する情報（放送されているトランスポートパケット３０４に含まれているデータを含む）を格納したものである。
【００２２】
ホットスポットＡＰ３０７はインターネット接続サービスでよく知られているものであって、携帯テレビ受信端末３０５はこのホットスポットＡＰ３０７または無線キャリア基地局３０６の通信エリア内において、通信ネットワーク３０８上に存在する通信サーバ３０９にアクセスすることができる。
【００２３】
本実施形態のデジタル放送受信システムでは、携帯テレビ受信端末３０５は、受信環境の悪化により、放送局３０１から送信されたトランスポートパケット３０４内のデータの一部または全部を受信できなかった場合、またはバースト的なエラーの発生によりトランスポートパケット３０４そのものを受信できなかった場合で、そのまま再生したのでは視聴者によって予め設定された再生品質条件を満たすことができない場合に、その設定された再生品質条件を満たすことのできる、受信できなかったデータを復元するための必要最小限のデータを通信サーバ３０９から通信パケット３１２により取得する。そして、携帯テレビ受信端末３０５は、その通信サーバ３０９から取得した必要最小限のデータを用いてトランスポートパケット３０４を復元する。これにより、視聴者によって設定された再生品質を確保するとともに、動画再生画面や再生音声がフリーズしたり、ブラックアウトしたりするのを防止することができる。
【００２４】
以下、上記の復元動作を実現することのできる、携帯テレビ受信端末および通信サーバの具体的な構成および動作について説明する。
【００２５】
（携帯テレビ受信端末）
図２に、携帯テレビ受信端末の具体的な構成を示す。この携帯テレビ受信端末は、デジタルチューナ部４０１、デジタルベースバンド復調部４０２、TS-DeMUX（トランスポート・ストリーム・デマルチプレクサ）部４０３、ビデオデコーダ部４０４、表示部４０５、オーディオデコーダ部４０６、ヘッドスピーカ部４０７、システム制御／パケット復元制御部４０８、ＵＩ（ユーザーインタフェース）部４０９、受信エラーパケット検出部４１０、パケット蓄積部４１１、パケット復元部４１２、再生条件設定部４１３、無線通信部４１４および通信制御部４１５を有する。
【００２６】
デジタルチューナ部４０１は所望のチャネルの選局が可能で、搭載されたアンテナにて受信される放送波のうちから、選択されたチャネルに該当する帯域の放送波を取り出すことができる。デジタルチューナ部４０１で取り出された放送波の信号は、デジタルベースバンド復調部４０２に入力されており、ここでデジタルベースバンド信号、すなわちトランスポートパケットが復調されて取り出される。
【００２７】
デジタルベースバンド復調部４０２で復調されたトランスポートパケットはTS-DeMUX部４０３に入力されており、ここでトランスポートパケットの構成が解析され、多重化されているパケット構成から所定の放送コンテンツが取り出される。具体的には、TS-DeMUX部４０３では、選局された放送チャネルで放送されている、オーディオストリームパケット、ビデオストリームパケット、データ放送パケット、その他サービス情報パケット等が分離される。図２に示した構成例は、そのようなストリームパケットのうち、オーディオストリームパケットとビデオストリームパケットを処理する端末構成例である。
【００２８】
また、デジタルベースバンド部４０２およびTS-DeMUX部４０３は、受信したパケットの構成を分析する過程において、受信したトランスポートパケットが正常に受信されたものであるか、あるいは受信エラーが発生したものであるかを識別することが可能である。TS-DeMUX部４０３は、取り出した放送コンテンツとともにその識別結果を次段の受信エラーパケット検出部４１０に供給する。
【００２９】
受信エラーパケット検出部４１０は、TS-DeMUX部４０３から入力された識別結果に基づいて個々のトランスポートパケットの受信状況を体系的に分析するエラーパケット分析手段であって、例えば、
（１）パケットのフォーマットは正しく受信されたが、データの一部に誤りがある。
（２）一部のトランスポートパケット全体が欠落している。
などの受信状況を把握して、トランスポートパケット固有の識別子（トランスポートパケットＩＤ）ごとにエラーの有無とその把握内容を含む受信エラー分析情報を出力する。この受信エラーパケット検出部４１０から出力された各トランスポートパケットの受信エラー分析情報は、システム制御／パケット復元制御部４０８に報告される。
【００３０】
また、受信エラーパケット検出部４１０は、トランスポートパケットの受信状況の分析が終了すると、TS-DeMUX部４０３から入力された放送コンテンツの再生を行うためのビデオストリームパケットおよびオーディオストリームパケットをパケット蓄積部４１１に転送する。こうして転送されたストリームパケットは、パケット蓄積部４１１内部に一時的に蓄積される。
【００３１】
システム制御／パケット復元制御部４０８は、受信エラーパケット検出部４１０からの受信エラー分析情報に基づいて、受信したトランスポートパケットに受信エラーが発生していないかどうかを判断する。受信エラーは発生していないと判断した場合は、システム制御／パケット復元制御部４０８は、パケット蓄積部４１１に一時的に蓄積されたビデオストリームパケットおよびオーディオストリームパケットを直ちに読み出す。こうして読み出したビデオストリームパケットおよびオーディオストリームパケットはそれぞれ、パケット復元部４１２をそのまま通過してビデオデコーダ部４０４およびオーディオデコーダ部４０６に入力される。ビデオデコーダ部４０４では、入力されたビデオストリームパケットが動画像データに復号されて、その動画像データが表示部４０５にて動画として提示される。オーディオデコーダ部４０６では、入力されたオーディオストリームパケットが音声データに復号されて、その音声データがヘッドホンスピーカ部４０７にて音声再生出力される。
【００３２】
システム制御／パケット復元制御部４０８にはＵＩ部４０９が接続されており、これにより選局動作などのユーザーインタフェースを実現している。視聴者は、このＵＩ部４０９を介して、受信エラーが発生した場合における放送コンテンツの再生品質を任意に設定することができる。こうして設定された要求再生品質に関する設定情報は、再生条件設定部４１３に格納されるようになっており、システム制御／パケット復元制御部４０８はその再生条件設定部４１３に格納された設定情報にアクセスすることができる。
【００３３】
システム制御／パケット復元制御部４０８は、受信エラーが発生した場合は、その状態のままで再生条件設定部４１３に設定された要求再生品質条件を満足す画質または音声品質を確保できるかどうかを判断し、確保できないと判断した場合は、通信制御部４１５に対してデータを復元するための必要最小限のデータの取得を指示する。確保できると判断した場合は、そのまま上述した受信エラーを生じていない場合と同じ動作が行われる。
【００３４】
無線通信部４１４を介した無線通信により、外部の通信ネットワーク上に配された通信サーバへのアクセスが可能になっている。通信制御部４１５は、システム制御／パケット復元制御部４０８からデータ復元のためのデータ取得指示を受けると、外部の通信サーバにアクセスして復元のための必要最小限のデータを取得する。こうして取得したデータは、受信エラーパケット検出部４１０から送出されたビデオストリームパケットおよびオーディオストリームパケットとともにパケット蓄積部４１１に一時的に蓄積された後、システム制御／パケット復元制御部４０８によって読み出される。
【００３５】
システム制御／パケット復元制御部４０８によって読み出されたデータはパケット復元部４１２に供給され、そこで受信エラーで欠落した部分が復元される。この復元後のビデオストリームパケットおよびオーディオストリームパケットの再生品質は、再生条件設定部４１３に設定された要求再生品質を満たす。
【００３６】
パケット復元部４１２によって生成されたビデオストリームパケットおよびオーディオストリームパケットはそれぞれ、ビデオデコーダ部４０４およびオーディオデコーダ部４０６に入力される。ビデオデコーダ部４０４では、入力されたビデオストリームパケットが動画像データに復号されて、その動画像データが表示部４０５にて動画として提示される。オーディオデコーダ部４０６では、入力されたオーディオストリームパケットが音声データに復号されて、その音声データがヘッドホンスピーカ部４０７にて音声再生出力される。
【００３７】
上記のデジタルチューナ部４０１、デジタルベースバンド復調部４０２、TS-DeMUX部４０３、ビデオデコーダ部４０４、表示部４０５、オーディオデコーダ部４０６、ヘッドホンスピーカ部４０７、受信エラーパケット検出部４１０、パケット蓄積部４１１、パケット復元部４１２および通信制御部４１５の各機能ブロックにおける動作は全てシステム制御／パケット復元制御部４０８によって実時間で制御される。
【００３８】
次に、上述した携帯テレビ受信端末３０５の最も特徴的な動作である、受信エラーを生じた場合の動作を図１および図２を参照して詳細に説明する。
【００３９】
携帯テレビ受信端末３０５は放送局３０１から放送波３０３を受信すると、まず、デジタルベースバンド部４０２およびTS-DeMUX部４０３が、受信パケットの構成を分析する過程において、受信したトランスポートパケットが正常に受信されたものであるか、あるいは受信エラーが発生したものであるかを識別する。そして、受信エラーパケット検出部４１０が、その識別結果に基づいて個々のトランスポートパケットの受信状況を体系的に分析する。この分析では、例えば、
（ａ）「ID=AAA」のトランスポートパケットで放送された音声パケットの一部のデータがエラーにより正常ではない、
（ｂ）「ID=BBB〜ID=CCC」のトランスポートパケットで放送されたビデオフレームのIフレームを含むXXフレームのデータが欠落している、
（ｃ）「ID＝XXXX〜ID＝YYYY」までのトランスポートパケットすべてが受信エラーにより受信できない、
などの分析結果を得る。こうして得られた分析結果は、受信エラー分析情報としてシステム制御／パケット復元制御部４０８に報告される。
【００４０】
受信エラー分析情報の報告を受けたシステム制御／パケット復元制御部４０８は、まず、受信エラーが生じたトランスポートパケットをそのままの状態でビデオデコーダ部４０４およびオーディオデコーダ部４０６にてストリーム再生を行った場合の再生品質を予測する。この予測では、例えば、
（ａ）再生時の音声が１０ｍｓ欠落する。
（ｂ）再生時の動画がＸＸフレームフリーズするが、音声は正常に再生される。
（ｃ）ある期間の放送コンテンツが取得できていないため、再生品質が最大Ｘ秒間予測できない状態となる。
などの再生品質の予測結果を得る。
【００４１】
次いで、システム制御／パケット復元制御部４０８は、予測した再生品質が再生条件設定部４１３に予め設定された要求再生品質条件を満たしているかどうかを判断する。もし、要求再生品質条件を満たしていないと判断した場合は、システム制御／パケット復元制御部４０８は、受信したビデオストリームパケットおよびオーディオストリームパケットをパケット蓄積部４１１に蓄積させるとともに、要求再生品質条件を満たすために最低限必要な欠落トランスポートパケットを特定する。このようにして特定された再取得の必要なトランスポートパケットの情報は、通信制御部４１５に渡される。
【００４２】
通信制御部４１５は、システム制御／パケット復元制御部４０８から再取得の必要なトランスポートパケットの情報が入力されると、無線通信部４１４を介した無線通信により無線キャリア基地局３０６またはホットスポットＡＰ３０７経由で通信ネットワーク３０８上に存在する通信サーバ３０９にアクセスするとともに、通信サーバ３０９に対して、再取得の必要なトランスポートパケットに関する情報（例えば、再取得の必要なトランスポートパケットのパケットＩＤなど）を送出してトランスポートパケットの再取得を要求する。
【００４３】
トランスポートパケットの再取得要求を受けた通信サーバ３０９は、その要求されたトランスポートパケットに関する、必要最小限のデータを放送コンテンツデータベース３１０から取得する。そして、通信サーバ３０９は、その取得した必要最小限のデータ（再取得ビデオ／オーディオストリームパケット）を通信ネットワーク３０８経由で無線キャリア基地局３０６またはホットスポットＡＰ３０７から無線通信により携帯テレビ受信端末３０５に送信する。
【００４４】
無線通信網を経由して送信されてきた再取得ビデオ／オーディオストリームパケットは、無線通信部４１４、通信制御部４１５を順次経由して、パケット蓄積部４１１に一時的に蓄積される。システム制御／パケット復元制御部４０８は、所望のビデオ／オーディオストリームパケットの再取得が完了した時点で、放送局３０１から正常に受信したビデオ／オーディオストリームパケットと通信サーバ３０９から再取得したビデオ／オーディオストリームパケットをパケット蓄積部４１１からそれぞれ読み出してパケット復元部４１２に供給する。パケット復元部４１２は、その供給されたビデオ／オーディオストリームパケットから、再生条件設定部４１３に設定された要求再生品質を確保可能なビデオ／オーディオストリームパケットを復元する。
【００４５】
パケット復元部４１２で生成されたビデオ／オーディオストリームパケットのうち、ビデオストリームパケットはビデオデコーダ部４０４でデコードされて表示部４０５にて動画提示され、オーディオストリームパケットはオーディオデコーダ部４０６でデコードされてヘッドホンスピーカ部４０７にて音声再生される。
【００４６】
次に、放送局３０１から送出されるトランスポートパケットと携帯テレビ受信端末３０５で受信されるトランスポートパケットについて具体的に説明するとともに、データの再取得要求がどのようにして行われるかについて具体的に説明する。
【００４７】
図３は、トランスポートパケットフォーマットの概念図である。図３において、送出トランスポートパケット５０１は、放送局３０１が送出するトランスポートパケットで、受信トランスポートパケット５０６は携帯テレビ受信端末３０５で受信されるトランスポートパケットである。なお、実際のトランスポートパケットは、この概念図に比べると極めて複雑な構成となるが、ここでは、本発明の骨子を説明するための必要最小限の概念を示している。
【００４８】
送出トランスポートパケット５０１は、ビデオ／オーディオストリームパケットなどの放送コンテンツであるペイロード５０５と、そのヘッダに付加される、トランスポートパケットＩＤ５０２（図３中のＡの部分）、ビデオパケット／オーディオパケット識別子５０３（図３中のＢの部分）、ペイロード５０５で放送されているコンテンツ、すなわちビデオ/オーディオストリームパケットの再生品質に与える影響度合いを示すパラメータ（コンテンツパラメータ）５０４（図３中のＣの部分）とからなる。ペイロード５０５の放送コンテンツには、ビデオコンテンツ、オーディオコンテンツおよびデータコンテンツなどがある。
【００４９】
トランスポートパケットＩＤ５０２は、ある時刻やある番組の開始点をスタート値として、連続的なデータと考えることができる。よって、トランスポートパケットＩＤ５０２から目的のトランスポートパケット（例えば再取得の必要なトランスポートパケット）を特定することができる。ビデオパケット／オーディオパケット識別子５０３は、ペイロード５０５に格納されて放送されるストリームパケットが、ビデオパケットなのかオーディオパケットなのかを示すものである。コンテンツパラメータ５０４は、ペイロード５０５に格納されて放送されているストリームコンテンツが欠落した場合の再生時における影響度を示すものであって、例えば、ビデオストリームパケットによって構成されるフレームがＩフレーム、Ｐフレーム、Ｂフレームのいずれなのかを示す圧縮情報や、コンテンツの内容から再生されなくてもコンテンツのストーリーの理解には影響が少ない（例えば、そもそもコンテンツそのものが無音期間であるオーディオストリームなど）といった情報により構成される。
【００５０】
一方の受信トランスポートパケット５０６には、上記のトランスポートパケットＩＤ５０２、ビデオパケット／オーディオパケット識別子５０３、コンテンツパラメータ５０４、ペイロード５０５に加えて、トランスポートパケットが正常に受信されたものか否かを示す受信エラーフラグ５０７が付与されている。TS-DeMUX部４０３にて受信エラーが認識された受信トランスポートパケット５０６には、受信エラーフラグ５０７として「Ｅ」が付与される。受信エラーが認識されなかった場合は、受信エラーフラグ５０７は「Ｎ」となる。
【００５１】
図３の例では、放送局３０１から、トランスポートパケットＩＤ５０２が「１」〜「１２」の送信トランスポートパケットが順次送信され、携帯テレビ受信端末３０５側で、トランスポートパケットＩＤ５０２が「１」〜「３」、「７」〜「１２」の受信トランスポートパケットが順次受信された様子が示されている。トランスポートパケットＩＤ５０２が「３」の受信トランスポートパケットの次にトランスポートパケットＩＤ５０２が「７」の受信トランスポートパケットが受信されていることから、トランスポートパケットＩＤ５０２が「４」〜「６」までのトランスポートパケットについてはパケットそのものが受信できていないことが分かる。また、トランスポートパケットＩＤ５０２が「２」、「３」、「１１」の受信トランスポートパケットについては、受信エラーフラグ５０７が「Ｅ」となっていることから、パケット内のデータの一部に受信エラーを生じていることが分かる。
【００５２】
図２に示した携帯テレ部受信端末３０５では、受信エラーパケット検出部４１０が、上記の受信トランスポートパケット５０６に含まれている受信エラーに関する情報、具体的にはビデオパケット／オーディオパケット識別子５０３、コンテンツパラメータ５０４および受信エラーフラグ５０７から得られる受信エラー状況をトランスポートパケット毎に体系的に分析し把握することになる。例えば図３の例で説明すると、トランスポートパケットＩＤ５０２が「２」の受信トランスポートパケットは、受信エラーフラグ５０７が「Ｅ」、ビデオパケット／オーディオパケット識別子５０３が「Ｖ」、コンテンツパラメータ５０４が「中」となっており、これらから影響度中のビデオストリームパケットの一部のデータにエラーが生じている、という分析結果を得られる。このようにして分析された結果は、システム制御／パケット復元制御部４０８に報告される。
【００５３】
システム制御／パケット復元制御部４０８では、受信エラーパケット検出部４１０から報告された分析結果から再生品質を予測し、その予測結果と再生条件設定部４１３に予め設定されている要求再生品質情報とを比較する。予め設定されている要求再生品質情報とは、視聴者が設定した再生品質情報をブレークダウンしたもので、例えば、高品質（レベル５）から低品質（レベル１）まで５段階で設定することができる場合、
（ａ）「音声品質＝レベル４」：オーディオストリームパケットに関しては、影響度＝大、影響度＝中のものは必ず再生する。
（ｂ）「映像品質＝レベル２」：ビデオストリームパケットに関しては、影響度大のものは連続して２パケットが欠落することがないようにして５０％以上の再生を行う。
などの設定が考えられる。
【００５４】
予測した再生品質が上記のような要求再生品質条件を満たしている場合は、システム制御／パケット復元制御部４０８は、受信エラーとなったトランスポートパケットを削除する。例えば図３の例で説明すると、受信エラーパケット検出部４１０は、トランスポートパケットＩＤ５０２が「２」の受信トランスポートパケットの分析結果として、影響度中のビデオストリームパケットの一部のデータにエラーが生じている、という結果の報告をする。システム制御／パケット復元制御部４０８は、その報告に基づいて、トランスポートパケットＩＤ５０２が「２」の受信トランスポートパケットを削除した場合に予測される再生品質が上記の「映像品質＝レベル２」の条件を満たすかどうかを判断する。この場合、予測された再生品質は「映像品質＝レベル２」の条件を満たすため、システム制御／パケット復元制御部４０８は、トランスポートパケットＩＤ５０２が「２」の受信トランスポートパケットを削除して、正常に受信できたトランスポートパケットによって放送されたビデオ／オーディオストリームパケットを各デコーダ部４０４、４０６でデコードさせる。このとき、ストリームコンテンツの一部が欠落した状態でデコードが行われるが、デコーダのエラー処理機能によって、例えば欠落している期間が無音化される、欠落しているフレームは直前のフレームを繰り返して提示するなどの処理が行われる。
【００５５】
一方、受信エラーを生じた、またはパケットそのものが受信されなかったトランスポートパケットで、予測した再生品質が要求再生品質条件を満たしていないものがある場合は、システム制御／パケット復元制御部４０８は、そのトランスポートパケットのパケットＩＤを特定し、通信制御部４１５に対してその特定したパケットＩＤに基づくデータの再取得を指示する。この再取得指示の動作を、図３の例で説明すると、以下のようなことになる。
【００５６】
受信エラーパケット検出部４１０は、トランスポートパケットＩＤ５０２が「３」の受信トランスポートパケットについて、影響度大のオーディオストリームパケットの一部のデータにエラーが生じている、という分析結果をシステム制御／パケット復元制御部４０８に報告する。システム制御／パケット復元制御部４０８は、その報告に基づいて、トランスポートパケットＩＤ５０２が「３」の受信トランスポートパケットを削除した場合に予測される再生品質が上述した「音声品質＝レベル４」の条件を満たすかどうかを判断する。この場合は、予測された再生品質は「音声品質＝レベル４」の条件を満たさないため、システム制御／パケット復元制御部４０８は、その受信エラーとなった受信トランスポートパケットのパケットＩＤ５０２の「３」を特定し、通信制御部４１５に対してその特定したパケットＩＤ「３」に基づくデータの再取得を指示する。
【００５７】
また、受信エラーパケット検出部４１０は、トランスポートパケットＩＤ５０２が「４」〜「６」の受信トランスポートパケットについては、パケットＩＤが「４」〜「６」までのトランスポートパケットすべてが受信エラーにより受信できない、という分析結果をシステム制御／パケット復元制御部４０８に報告する。システム制御／パケット復元制御部４０８は、その報告された分析結果から、ある期間の放送コンテンツが取得できていないため、再生品質が最大Ｘ秒間予測できない状態となる、と予測する。この予測結果は上述した「映像品質＝レベル２」および「音声品質＝レベル４」のいずれの条件も満たしていないので、システム制御／パケット復元制御部４０８は、その受信できなかったトランスポートパケットのパケットＩＤ５０２の「４」〜「６」を特定し、通信制御部４１５に対してその特定したパケットＩＤ「４」〜「６」に基づくデータの再取得を指示する。
【００５８】
上述のようにしてトランスポートパケットの再取得を指示された通信制御部４１５は、所定のフォーマットの通信パケットを生成し、これを無線通信部４１４経由で外部の通信サーバに送出する。通信パケットのフォーマットについては、後述の通信サーバの説明で詳述する。
【００５９】
（通信サーバ）
図４に、図１に示したシステムに用いられる通信サーバの具体的な構成を示す。この通信サーバは、図１に示した放送コンテンツデータベース３１０を備える他、ネットワークインタフェース（Ｉ／Ｆ）部６０１、通信制御部６０２、システム制御部６０３、パケット要求処理部６０４、コンテンツ判定部６０５、再生条件格納部６０６を有する。
【００６０】
上述した携帯テレビ受信端末から送出された通信パケットは、無線通信網を経由してネットワーク３０８からネットワークＩ／Ｆ部６０１を介して通信制御部６０２によって受信される。図５に、その通信パケットの構成概念図を示す。
【００６１】
図５を参照すると、通信パケットは、当該通信サーバと上述した携帯テレビ受信端末の間で送受信されるデータが格納されるペイロード７０４と、そのヘッダに付与される、通信パケットＩＤ７０１（図５のＡの部分）、要求コマンド７０２（図５のＢの部分）およびペイロード７０４のパラメータ数７０３（図５のＣの部分）とからなる。通信パケットＩＤ７０１は、ある時点をスタート点として連続的なデータであって、その体系は通信の方向によって異なる。この図５の例では、携帯テレビ受信端末側から送信される、通信パケットＩＤ７０１が「１」〜「３」の通信パケットと、通信サーバ側から送信される、通信パケットＩＤ７０１が「１００」の通信パケットが示されている。
【００６２】
通信パケットＩＤ７０１が「１」の通信パケットは、携帯テレビ受信端末から通信サーバへの設定で、要求コマンド７０２は「要求再生品質設定」（図５中では「設定」）であり、ペイロード７０４には、携帯テレビ受信端末に視聴者が設定した要求再生品質に関する情報が格納されている。通信パケットＩＤ７０１が「２」の通信パケットは、携帯テレビ受信端末から通信サーバへの要求で、要求コマンド７０２は「パケット要求」（図５中では「要求１」）であり、ペイロード７０４には、再取得を要求するトランスポートパケットのＩＤが一つまたは複数個格納されている。通信パケットＩＤ７０１が「３」の通信パケットは、携帯テレビ受信端末から通信サーバへの要求で、要求コマンド７０２は「バーストエラー要求」（図５中では「要求２」）であり、ペイロード７０４には、取得できなかったトランスポートパケットのＩＤが一つまたは複数個格納されている。通信パケットＩＤ７０１が「１０１」の通信パケットは、通信サーバから携帯テレビ受信端末への応答で、要求コマンド７０２は「パケット応答」（図５中では「応答１」）であり、ペイロード７０４には再取得を要求されたトランスポートパケットのペイロードに格納されていたビデオ／オーディオストリームパケットが一つまたは複数個格納されている。
【００６３】
携帯テレビ受信端末側において、パケット内のデータの一部に受信エラーを生じた場合やパケットそのものが受信できなかった場合で、そのままでは視聴者が設定した要求再生品質を確保することができない場合には、上記のような通信パケットＩＤ７０１が「１」〜「３」の通信パケットが順次送出される。通信サーバ側では、携帯テレビ受信端末側から通信パケットを受信すると、通信サーバ全体の動作を制御するシステム制御部６０３が、受信した通信パケットの要求コマンド７０２の内容に応じて以下のような応答動作を行う。
【００６４】
（１）要求コマンドが要求再生品質設定の場合
受信した通信パケットの要求コマンド７０２が「要求再生品質設定」である場合（図５のパケットＩＤ７０１が「１」の通信パケットに対応する）は、システム制御部６０３は、ペイロード７０４から視聴者の要求再生品質情報を取得して、それを再生条件格納部６０８に格納する。
【００６５】
（２）要求コマンドがパケット要求の場合
受信した通信パケットの要求コマンド７０２が「パケット要求」である場合（図５のパケットＩＤ７０１が「２」の通信パケットに対応する）は、システム制御部６０３は、ペイロード７０４から再取得が要求されたトランスポートパケットのＩＤ情報を取得し、それをパケット要求処理部６０４に通知する。パケット要求処理部６０４は、通知されたＩＤ情報をキーにして放送コンテンツデータベース３１０内を検索し、要求されているビデオ／オーディオストリームパケットを読み出す。
【００６６】
読み出されたビデオ／オーディオストリームパケットは通信制御部６０２に渡される。通信制御部６０２は、渡されたビデオ／オーディオストリームパケットをペイロード７０４に格納した通信パケット（図５のパケットＩＤ７０１が「１０１」の通信パケットに対応する）を生成し、それをネットワークインタフェース部６０１から通信ネットワーク３０８上に送出する。通信ネットワーク３０８上に送出された通信パケットは、無線通信網を経由して携帯テレビ受信端末にて受信される。
【００６７】
（３）要求コマンドがバーストエラー要求の場合
受信した通信パケットの要求コマンド７０２が「バーストエラー要求」である場合（図５のパケットＩＤ７０１が「３」の通信パケットに対応する）は、システム制御部６０３は、ペイロード７０４からバーストエラーによって取得できなかったトランスポートパケットに関する情報を取り出し、それをコンテンツ判定部６０５に供給する。
【００６８】
コンテンツ判定部６０５は、入力されたバーストエラーによって取得できなかったトランスポートパケットに関する情報をキーにして放送コンテンツデータベース３１０内を検索し、該当情報を読み出す。放送コンテンツデータベース３１０には、図３に示したようなフォーマットにおける情報が格納されており、コンテンツ判定部６０５によって読み出される該当情報には、少なくとも重要度に関する情報が含まれる。
【００６９】
次いで、コンテンツ判定部６０５は、読み出した該当情報の重要度と再生条件格納部６０８に格納された視聴者の要求再生品質情報とを用いて、要求されている再生品質を確保するためには、最低限どのトランスポートパケットに格納されて放送されているビデオ／オーディオストリームパケットを再取得する必要があるかを判定する。そして、コンテンツ判定部６０５は、その判定結果により、再取得が必要と判断されたビデオ／オーディオストリームパケットを放送コンテンツデータベース３１０から読み出す。
【００７０】
読み出されたビデオ／オーディオストリームパケットは通信制御部６０２に渡される。通信制御部６０２は、渡されたビデオ／オーディオストリームパケットをペイロード７０４に格納した通信パケット（図５のパケットＩＤ７０１が「１０１」の通信パケットに対応する）を生成し、それをネットワークインタフェース部６０１から通信ネットワーク３０８上に送出する。通信ネットワーク３０８上に送出された通信パケットは、無線通信網を経由して携帯テレビ受信端末にて受信される。
【００７１】
上述の（１）〜（３）の応答動作は、図５に示した通信パケットＩＤ７０１が「１」〜「３」の通信パケットが順次受信される場合の基本動作であり、ここでは一連の動作として説明しているが、順番はこれに限定されるものではない。例えば、携帯テレビ受信端末側において、パケット内のデータの一部に受信エラーを生じた場合にのみ、視聴者が設定した要求再生品質を確保することができない状態が生じた場合には、（２）の応答動作のみが行われる。また、携帯テレビ受信端末側において、パケットそのものが受信されなかった場合にのみ、視聴者が設定した要求再生品質を確保することができない状態が生じた場合には、（１）と（３）の応答動作が行われる。
【００７２】
以上説明した本実施形態にデジタル放送受信システムによれば、受信環境が悪化した場合においても、視聴者が所望する再生品質を確保することができる。しかも、放送波の直接受信によって受信できなかった放送コンテンツを再取得する場合には、視聴者が所望する再生品質を確保することができる必要最小限のデータを取得するようになっているので、データの再取得に要する通信料金および送受信時間を大幅に削減することができる。
【００７３】
（第２の実施形態）
本実施形態のデジタル放送受信システムは、上述した要求再生品質条件を満たしていない場合のトランスポートパケットの再取得に加えて、その再取得を行う際に、視聴者によって予め設定された通信料金条件を満たすような無線通信網を選択したり、通信料金条件を満たさない場合には通信自体を中止したりする、といった通信制御を行うようにしたものである。その構成は、携帯テレビ受信端末の構成および動作の一部が異なる以外は、基本的には図１に示したシステム構成と同じであるので、ここでは、携帯テレビ受信端末の構成および動作についてのみ説明する。
【００７４】
図６に、本実施形態のデジタル放送受信システムに用いられる携帯テレビ受信端末の具体的な構成を示す。この携帯テレビ受信端末は、デジタルチューナ部８０１、デジタルベースバンド復調部８０２、TS-DeMUX部８０３、ビデオデコーダ部８０４、表示部８０５、オーディオデコーダ部８０６、ヘッドスピーカ部８０７、システム制御／パケット復元制御部８０８、ＵＩ部８０９、受信エラーパケット検出部８１０、パケット蓄積部８１１、パケット復元部８１２、再生条件設定部８１３、無線通信部８１４、８１６および通信制御部８１５を有する。これらの構成部は、以下の点が異なる以外は、基本的には図２に示した携帯テレビ受信端末と同じものである。
【００７５】
ＵＩ部８０９では、上述した視聴者による要求再生品質の条件設定などに加えて、有料通信網を経由してトランスポートパケットを再取得する場合に発生する通信費に関する制約条件などの設定を行うことができる。設定された制約条件は、要求再生品質の条件設定情報とともに再生条件設定部８１３に格納される。
【００７６】
通信サーバへの接続を行う際に使用可能な無線通信網の系統は、無線通信部８１４を介した通信系統と無線通信部８１６を介した通信系統の２系統がある。このような無線通信網の系統としては、例えば、無線ＬＡＮや３Ｇ携帯電話ネットワークなどがある。通信制御部８１５は、システム制御／パケット復元制御部８０８からの指示に従ってそれら通信系統を選択的に使用する。
【００７７】
システム制御／パケット復元制御部８０８は、再生条件設定部８１３に設定されている通信料金に関する制約条件を取得すると共に、通信制御部８１５を制御して無線通信を行う場合には、通信料金を把握して積算する。通信料金の把握は、予め与えられる、視聴者が契約した有料通信網の料金情報に基づいて行われる。また、システム制御／パケット復元制御部８０８は、通信制御部８１５を介した通信を行う場合は、通信が可能な通信系列を認識すると共に、各々の通信系列について、通信料金、通信速度、通信路の混み具合、などの情報を収集して最適な通信路を決定する。さらに、システム制御／パケット復元制御部８０８は、常時、積算されている通信料金を管理しており、設定されている通信料金に関する制限情報に反する事がないように通信制御を行う。
【００７８】
次に、システム制御／パケット復元制御部８０８による通信制御について具体的に説明する。要求再生品質条件を満たしていない場合のトランスポートパケットの再取得についての基本的な動作は上述した第１の実施形態の場合と同じであるので、ここでは、その説明は省略し、再取得時におけるシステム制御／パケット復元制御部８０８による通信制御についてのみ説明する。
【００７９】
システム制御／パケット復元制御部８０８は、受信エラー頻度が増加し、通信によりストリームパケットの再取得を行う必要が増加した場合で、積算された通信料が増加して、視聴者が予め設定した通信料金に関する制限条件を満たすことができないことが予測される場合には、表示部８０５に所定の警告メッセージを表示して視聴者に判断を求めることができる。このときの選択肢としては、例えば、
（ａ）通信による再生品質を補償した再生動作を中止し、受信されたままのコンテンツの再生動作に移行する。
（ｂ）視聴者の判断により、通信料金の制限を変更する。
（ｃ）視聴者の判断により、設定されている再生品質を緩和する、あるいは、強制的に通信料金の制限を確保可能な範囲での再生品質に移行する。
（ｄ）通信単価が高価な無線通信系統でのストリームパケットの再取得を中止し、エラーパケット情報のみを蓄積して、安価な通信環境が実現できる環境が確保できた時点で、ストリームパケットの再取得を行う。
等が考えられる。
【００８０】
視聴者がＵＩ部８０９を介して上記の（ａ）の項目に関する選択入力を行った場合は、システム制御／パケット復元制御部８０８は、トランスポートパケットの再取得を中止し、受信されたままの放送コンテンツでの再生動作に移行する。
【００８１】
視聴者がＵＩ部８０９を介して上記の（ｂ）の項目に関する選択入力を行って、通信料金の制限を変更した場合は、システム制御／パケット復元制御部８０８は、その変更された通信料金の制約を満たす範囲で、トランスポートパケットの再取得の動作を継続する。
【００８２】
視聴者がＵＩ部８０９を介して上記の（ｃ）の項目に関する選択入力を行って、設定されている再生品質を緩和した場合は、システム制御／パケット復元制御部８０８は、その緩和された再生品質の条件を満たす範囲で、トランスポートパケットの再取得の動作を継続する。また、上記の（ｃ）の項目に関する選択入力を行った後、強制移行を行う旨の入力がなされた場合は、システム制御／パケット復元制御部８０８は、通信料金の制限を確保可能な範囲での再生品質に強制的に移行してトランスポートパケットの再取得の動作を継続する。この場合、通信料金の制限を確保できなくなった時点で、上記の（ａ）の場合の動作に移行する。
【００８３】
視聴者がＵＩ部８０９を介して上記の（ｄ）の項目に関する選択入力を行った場合は、システム制御／パケット復元制御部８０８は、通信単価が高価な現在の無線通信系統でのストリームパケットの再取得を中止し、エラーパケット情報のみをパケット蓄積部８１１に蓄積する。そして、安価な通信環境が実現できる無線通信系統が確保できた時点で、蓄積部８１１に蓄積したエラーパケット情報を読み出して、それに該当するトランスポートパケットの再取得の動作を実行する。
【００８４】
上述の（ｂ）〜（ｄ）のいずれかの選択入力が行われた場合は、通信制御部８１５は、システム制御／パケット復元制御部８０８からの指示に従って、無線通信部８１４、８１６のうちから選択した無線通信部を介して、通信サーバに対して、再取得を要求するトランスポートパケットに関する情報（例えば再取得を要求するトランスポートパケットのパケットＩＤなど）を送出して、トランスポートパケットの再取得を要求する。
【００８５】
トランスポートパケットの取得要求を受けた通信サーバは、要求されたトランスポートパケットによって放送されているビデオストリームパケットあるいはオーディオストリームパケットを、携帯テレビ受信端末に通信網を経由して送信する。無線通信網を経由して送信されてきた再取得ビデオ／オーディオストリームパケットは、上記選択された無線通信部、通信制御部８１５を経由して、パケット蓄積部８１１に入力される。
【００８６】
システム制御／パケット復元制御部８０８は、所望のビデオ／オーディオストリームパケットの再取得が完了した時点で、放送局から正常に受信したビデオ／オーディオストリームパケットと、通信網を経由して再取得したビデオ／オーディオストリームパケットとパケット蓄積部８１１からそれぞれ読み出してパケット復元部８１２に供給する。パケット復元部８１２は、その入力されたビデオ／オーディオストリームパケットを元に、要求再生品質を確保可能なビデオ／オーディオストリームパケットを復元する。
【００８７】
パケット復元部８１２で復元されたビデオ／オーディオストリームパケットのうちビデオストリームパケットは、ビデオデコーダ部８０４においてデコードされ、表示部８０５に動画提示される。一方、オーディオストリームパケットは、オーディオデコーダ部８０６においてデコードされ、ヘッドホンスピーカ部８０７で音声再生される。
【００８８】
（第３の実施形態）
上述した第１の実施形態のデジタル放送受信システムにおいては、受信エラーにより取得できなかったビデオ／オーディオストリームパケットを通信サーバから再取得して再生品質を補償する際に、再取得するパケットの量が多い場合や、通信のスループットが悪く時間を要する場合には、放送コンテンツの提示すべきタイミングに再取得パケットが取得出来ていない恐れがある。このため、通信によりビデオ／オーディオストリームパケットを再取得する場合には、何がしかのディレイが発生することを考慮する必要がある。本実施形態のデジタル放送受信システムは、この問題を解決するものであって、携帯テレビ受信端末の構成および動作の一部が異なる以外は、基本的には図１に示したシステム構成と同じ構成である。ここでは、携帯テレビ受信端末の構成および動作についてのみ説明する。
【００８９】
図７に、本実施形態のデジタル放送受信システムに用いられる携帯テレビ受信端末の具体的な構成を示す。この携帯テレビ受信端末は、デジタルチューナ部９０１、デジタルベースバンド復調部９０２、TS-DeMUX部９０３、ビデオデコーダ部９０４、表示部９０５、オーディオデコーダ部９０６、ヘッドスピーカ部９０７、システム制御／パケット復元制御部９０８、ＵＩ部９０９、受信エラーパケット検出部９１０、パケット蓄積部９１１、パケット復元部９１２、再生条件設定部９１３、無線通信部９１４、通信制御部９１５およびメモリーカード９１６を有する。これらの構成部は、以下の点が異なる以外は、基本的には図２に示した携帯テレビ受信端末と同じものである。
【００９０】
メモリーカード９１６を配したことにより、システム制御／パケット復元制御部９０８は、以下のような録画モード（蓄積受信モード）、追いかけ再生モード、フリーズ再生モードのいずれかのモードによる再生を選択的に行うことができる。
【００９１】
（ａ）録画モード：ビデオ／オーディオストリームパケット（正常に受信したパケットと通信から再取得したパケットを結合して復元したもの）をメモリーカード９１６にすべて蓄積してから再生する。
【００９２】
（ｂ）追いかけ再生モード：予め発生が想定される再生ディレイの最大値分のビデオ／オーディオストリームパケット（正常に受信したパケットと通信から再取得したパケットを結合して復元したもの）をメモリーカード９１６に蓄積してから再生する。
【００９３】
（ｃ）フリーズ再生モード：リアルタイムで再生を開始するが、受信エラーが発生した場合、その都度、待ち状態（例えば画面のフリーズなど）を発生させ、再取得されるべきビデオ/オーディオストリームパケットがそろった時点で再生を続行する。
【００９４】
上述した各モードは、視聴者がＵＩ部９０９でモードの選択入力を行うことで実行される。
【００９５】
以下、図７を参照して上記モードを使用した制御を詳細に説明する。
【００９６】
携帯テレビ受信端末では、搭載されたアンテナにて放送波が受信されると、デジタルチューナ部９０１、デジタルベースバンド復調部９０２によってトランスポートパケットが復調されて取り出される。復調されたトランスポートパケットは、TS-DeMUX部９０３に入力され、そこでトランスポートパケットの構成が解析されて、多重化されているパケット構成から所定の放送コンテンツが取り出される。
【００９７】
また、デジタルベースバンド部９０２、TS-DeMUX部９０３では、受信したパケットの構成を分析する過程において、受信したトランスポートパケットが正常に受信されたものであるか、あるいは受信エラーが発生したものであるかが識別される。そして、受信エラーパケット検出部９１０にて、トランスポートパケットの受信状況が体系的に分析される。このようにして得られた受信エラー分析情報は、システム制御／パケット復元制御部９０８に報告される。
【００９８】
受信エラー分析情報の報告を受けたシステム制御／パケット復元制御部９０８は、そのままの状態で、ビデオデコーダ部９０４、オーディオデコーダ部９０６にてストリーム再生を行った場合の再生品質を予測し、その予測結果が要求再生品質条件を満たしているか否かを判断する。そして、システム制御／パケット復元制御部９０８は、予測結果が要求再生品質条件を満たしていないと判断した場合は、受信したビデオストリームパケット及びオーディオストリームパケットをパケット蓄積部９１１に蓄積すると共に、要求再生品質条件を満たすために最低限必要な欠落トランスポートパケットを特定し、通信制御部９１５に対してその特定情報を渡してデータの再取得を指示する。
【００９９】
通信制御部９１５は、システム制御／パケット復元制御部９０８からの再取得指示に応じて、無線通信部９１４を介してネットワーク上に存在する通信サーバにアクセスし、ビデオ／オーディオストリームパケットの再取得を行う。無線通信網を経由して送信されてきた必要最小限のデータ（再取得ビデオ／オーディオストリームパケット）は、無線通信部９１４、通信制御部９１５を経由して、パケット蓄積部９１１に入力される。
【０１００】
システム制御／パケット復元制御部９０８は、所望のビデオ／オーディオストリームパケットの再取得が完了した時点で、放送局から正常に受信したビデオ／オーディオストリームパケットと、通信網を経由して再取得したビデオ／オーディオストリームパケットとをパケット蓄積部９１１からそれぞれ読み出してパケット復元部８１２に供給する。パケット復元部８１２は、その入力されたビデオ／オーディオストリームパケットを元に、要求再生品質を確保可能なビデオ／オーディオストリームパケットを復元する。パケット復元制御部９１２で復元されたストリームパケットは、メモリーカード９１６に格納される。
【０１０１】
メモリーカード９１６に格納されたビデオ／オーディオストリームパケットは、所定のタイミングで読み出され、ビデオストリームパケットについてはビデオデコーダ部９０４においてデコードされて表示部９０５に動画提示され、オーディオストリームパケットについては、オーディオデコーダ部９０６においてデコードされてヘッドホンスピーカ部９０７にて音声再生される。
【０１０２】
上述の一連の再生動作において、視聴者がＵＩ部９０９にて「（ａ）録画モード」を選択入力した場合は、例えば録画指定した番組コンテンツ（放送コンテンツ）に関する、パケット復元制御部９１２で復元されたストリームパケットのすべてがメモリーカード９１６に格納（録画）される。そして、システム制御／パケット復元制御部９０８の制御によって、メモリーカード９１６に格納されたストリームパケットが順次読み出されて再生される。この場合、視聴者はタイムシフト視聴を行うことができる。また、録画中の受信環境の悪化に対するケアーからも開放されることになる。
【０１０３】
また、視聴者がＵＩ部９０９にて「（ｂ）追いかけ再生モード」を選択入力した場合は、指定した番組コンテンツ（放送コンテンツ）に関する、パケット復元制御部９１２で復元されたストリームパケットの、所定の再生遅延量分に相当する量をメモリーカード９１６に格納（録画）してから再生が行われる。この場合は、放送のタイミングに対して、ある一定時間遅れてから視聴を開始することになる。また、想定された受信環境内での視聴であれば、要求した再生品質にて連続的に番組の視聴が可能である。
【０１０４】
視聴者がＵＩ部９０９にて「（ｃ）フリーズ再生モード」を選択入力した場合は、指定した番組コンテンツ（放送コンテンツ）に関する、パケット復元制御部９１２で復元されたストリームパケットがリアルタイムに再生される。この場合は、受信環境が安定していればリアルタイムな視聴を行うことができる。また、受信環境が一時的に悪化した場合には、その時点から「（ｂ）追いかけ再生モード」に移行する。具体的には、リアルタイム再生中に、受信エラーが発生した場合は、再生を一旦停止すると同時に、該停止以降に受信されるトランスポートパケットの録画を開始して通信サーバから前記受信エラーを復元するための必要最小限のデータを取得する。これにより、受信エラー発生の瞬間のコンテンツも見ることができる。
【０１０５】
上述したモードでの再生に加えて、システム制御／パケット復元制御部９０８が、受信エラーの発生から該受信エラーを復元するための必要最小限のデータを通信サーバから取得するまでの間に生じる再生ディレイが予め設定されている要求再生品質条件を満たすことのできる再生ディレイ条件を確保できるか否かを判断し、該判断が否となった場合に、所定のメッセージを表示部９０５またはヘッドホンスピーカ部９０７から出力させることもできる。この所定のメッセージは、要求再生品質条件を満たすことができない旨を示す警告メッセージであってもよく、視聴者に対して放送コンテンツの再生の継続可否の判断または要求再生品質条件の変更を促すためのメッセージであってもよい。
【０１０６】
以上説明した各実施形態のデジタル放送受信システムにおいて、携帯テレビ受信端末および通信サーバにおける各機能ブロックにおける一連の動作は、基本的にはプログラムによってソフト的に実現することができる。この場合、プログラムは、携帯テレビ受信端末および通信サーバに搭載される記憶装置に予め格納されるか、ＣＤ−ＲＯＭなどの記録媒体で提供される。いずれの場合も、携帯テレビ受信端末および通信サーバのコンピュータが、そのプログラムにしたがって一連の動作を実行する。
【０１０７】
【発明の効果】
以上説明したように、本発明によれば、放送波の直接受信によって受信できなかった放送コンテンツ（トランスポートパケット）については、予め設定した再生品質を確保するための必要最小限のトランスポートパケットを通信サーバから取得して再生するようになっているので、従来のシステムに比べて、通信サーバからデータを再取得する際の通信料金を安くすることでき、また、通信時間も短くなるので、再生時の待ち時間を短縮することができるという効果がある。
【図面の簡単な説明】
【図１】本発明の第１の実施形態であるデジタル放送受信システムの概略構成を示すブロック図である。
【図２】図１に示すデジタル放送受信システムの携帯テレビ受信端末の具体的な構成を示すブロック図である。
【図３】図１に示すデジタル放送受信システムにおいて使用されるトランスポートパケットのフォーマットの概念図である。
【図４】図１に示すデジタル放送受信システムの通信サーバの具体的な構成を示すブロック図である。
【図５】図１に示すデジタル放送受信システムにおいて使用される通信パケットのフォーマットの概念図である。
【図６】本発明の第２の実施形態のデジタル放送受信システムに用いられる携帯テレビ受信端末の具体的な構成を示すブロック図である。
【図７】本発明の第３の実施形態のデジタル放送受信システムに用いられる携帯テレビ受信端末の具体的な構成を示すブロック図である。
【符号の説明】
３０１  放送局
３０２  放送コンテンツ
３０３  放送波
３０４  トランスポートパケット
３０５  携帯テレ部受信端末
３０６  無線キャリア基地局
３０７  ホットスポットＡＰ
３０８  通信ネットワーク
３０９  通信サーバ
３１０  放送コンテンツデータベース
３１１  無線通信
３１２  通信パケット
４０１、８０１、９０１  デジタルチューナ部
４０２、８０２、９０２  デジタルベースバンド復調部
４０３、８０３、９０３  TS-DeMUX部
４０４、８０４、９０４  ビデオデコーダ部
４０５、８０５、９０５  表示部
４０６、８０６、９０６  オーディオデコーダ部
４０７、８０７、９０７  ヘッドホンスピーカ部
４０８、８０８、９０８  システム制御／パケット復元制御部
４０９、８０９、９０９  ＵＩ部
４１０、８１０、９１０  受信エラーパケット検出部
４１１、８１１、９１１  パケット蓄積部
４１２、８１２、９１２  パケット復元部
４１３、８１３、９１３  再生条件設定部
４１４、８１４、８１６、９１４  無線通信部
４１５、８１５、９１５  通信制御部
５０１  送出トランスポートパケット
５０２  トランスポートパケットＩＤ
５０３  ビデオパケット／オーディオパケット識別子
５０４  パラメータ
５０５、７０４  ペイロード
５０６  受信トランスポートパケット
５０７  受信エラーフラグ
６０１  ネットワークＩ／Ｆ部
６０２  通信制御部
６０３  システム制御部
６０４  パケット要求処理部
６０５  コンテンツ判定部
６０８  再生条件格納部
９１６  メモリーカード
７０１  通信パケットＩＤ
７０２  要求コマンド
７０３  パラメータ数
【図１】
2004200863.tif 000003
【図２】
2004200863.tif 000004
【図３】
2004200863.tif 000005
【図４】
2004200863.tif 000006
【図５】
2004200863.tif 000007
【図６】
2004200863.tif 000008
【図７】
2004200863.tif 000009